(57)【特許請求の範囲】
【請求項１】
(イ)水石鹸の補給口と、(ロ)該補給口より下方に延び出して下端側が水石鹸タンクの内部且つ底部まで挿入された水石鹸の補給管と、(ハ)該水石鹸タンクの設定満水位置より上部のエア抜孔から上向きに延び出したエア抜管と、(ニ)すり鉢状をなして底部に水石鹸の注入口を備えた漏斗、及び該漏斗の底部且つ該注入口とは異なった位置に設けられたエア出し筒を有し、該注入口を前記補給口に、また前記エア出し筒を前記エア抜管に連通させる石鹸液の補給部と、を有し、
該補給部は、前記石鹸液の補給の際に前記注入口を前記補給口に、また前記エア出し筒を前記エア抜管内部に連通させる状態にセットされる脱着可能な補給器具として構成されていることを特徴とする水石鹸の補給装置。
【請求項２】
請求項１において、前記漏斗は、前記注入口よりも下向きに延び出した注入筒を有しているとともに、前記エア出し筒は、該漏斗の底部から該注入筒の外側で下向きに突き出していることを特徴とする水石鹸の補給装置。
【請求項３】
請求項１，２の何れかにおいて、前記注入口が前記漏斗の底部の中心部に設けてあるとともに、前記エア出し筒が該注入口から偏心した位置で前記底部から前記漏斗の上端よりも高く突き出しており、該エア出し筒の上端のエア出し口が、前記注入口側に向けて斜めのカット形状となしてあることを特徴とする水石鹸の補給装置。
【請求項４】
(イ)水石鹸の補給口と、(ロ)該補給口より下方に延び出して下端側が水石鹸タンクの内部且つ底部まで挿入された水石鹸の補給管と、(ハ)該水石鹸タンクの設定満水位置より上部のエア抜孔から上向きに延び出したエア抜管と、(ニ)すり鉢状をなして底部に水石鹸の注入口を備えた漏斗を有し、該注入口を前記補給口に連通させる水石鹸の補給部と、(ホ)前記漏斗の上端と同等以上の高さに設けられ、前記水石鹸タンクの満水表示を行う表示灯と、を有し、
前記補給部は、水石鹸の補給の際に前記注入口を前記補給口に連通させる状態にセットされる脱着可能な補給器具として構成されているとともに、前記表示灯が、該補給器具に設けられて該補給器具と一体に脱着可能とされていることを特徴とする水石鹸の補給装置。
【請求項５】
請求項４において、前記表示灯が前記補給器具のセット状態で信号の供給源と電気的に接続するようになしてあることを特徴とする水石鹸の補給装置。
【発明の詳細な説明】
【技術分野】
【０００１】
この発明は水石鹸吐出装置における水石鹸タンクに水石鹸を補給する補給装置に関する。
【背景技術】
【０００２】
従来、水石鹸吐出装置における水タンクに水石鹸を補給するための補給装置として、水石鹸の補給口と、下方の水石鹸タンクと補給口とを連絡する水石鹸の補給管と、水石鹸タンク内部のエアを抜くためのエア抜管とを備えたものが公知である。
例えば下記特許文献１にこの種の水石鹸の補給装置が開示されている。
【０００３】
ところで従来のこの種の水石鹸の補給装置の場合、通常、水石鹸タンクが補給口より下方の隠蔽された位置にあるため、補給口から水石鹸を補給する際に、水石鹸タンクがいつ満水状態になったかが分からず、そのため水石鹸を過剰に供給してしまって、補給口から水石鹸が溢れてしまうといったことが生じがちであった。
このように水石鹸が補給口から溢れてしまうと、その後始末が大変となる。
またこのように補給口から水石鹸が溢れてしまわないようにするため、水石鹸を補給する際に注意深く補給作業を行うことが必要となって、水石鹸の補給に際し神経を遣い、また補給作業を速やかに行うことができないといった問題があった。
【０００４】
【特許文献１】実用新案登録第２５２６９６５号公報
【発明の開示】
【発明が解決しようとする課題】
【０００５】
本発明は以上のような事情を背景とし、水石鹸の補給に際して水石鹸タンクが満水状態となったことを簡単且つ速やかに知ることができ、水石鹸タンクへの水石鹸の過剰供給を防ぐことのできる水石鹸の補給装置を提供することを目的としてなされたものである。
【課題を解決するための手段】
【０００６】
而して請求項１のものは、(イ)水石鹸の補給口と、(ロ)該補給口より下方に延び出して下端側が水石鹸タンクの内部且つ底部まで挿入された水石鹸の補給管と、(ハ)該水石鹸タンクの設定満水位置より上部のエア抜孔から上向きに延び出したエア抜管と、(ニ)すり鉢状をなして底部に水石鹸の注入口を備えた漏斗、及び該漏斗の底部且つ該注入口とは異なった位置に設けられたエア出し筒を有し、該注入口を前記補給口に、また前記エア出し筒を前記エア抜管に連通させる石鹸液の補給部と、を有し、該補給部は、前記石鹸液の補給の際に前記注入口を前記補給口に、また前記エア出し筒を前記エア抜管内部に連通させる状態にセットされる脱着可能な補給器具として構成されていることを特徴とする。
【０００７】
請求項２のものは、請求項１において、前記漏斗は、前記注入口よりも下向きに延び出した注入筒を有しているとともに、前記エア出し筒は、該漏斗の底部から該注入筒の外側で下向きに突き出していることを特徴とする。
【０００８】
請求項３のものは、請求項１，２の何れかにおいて、前記注入口が前記漏斗の底部の中心部に設けてあるとともに、前記エア出し筒が該注入口から偏心した位置で前記底部から前記漏斗の上端よりも高く突き出しており、該エア出し筒の上端のエア出し口が、前記注入口側に向けて斜めのカット形状となしてあることを特徴とする。
【０００９】
請求項４のものは、(イ)水石鹸の補給口と、(ロ)該補給口より下方に延び出して下端側が水石鹸タンクの内部且つ底部まで挿入された水石鹸の補給管と、(ハ)該水石鹸タンクの設定満水位置より上部のエア抜孔から上向きに延び出したエア抜管と、(ニ)すり鉢状をなして底部に水石鹸の注入口を備えた漏斗を有し、該注入口を前記補給口に連通させる水石鹸の補給部と、(ホ)前記漏斗の上端と同等以上の高さに設けられ、前記水石鹸タンクの満水表示を行う表示灯と、を有し、前記補給部は、水石鹸の補給の際に前記注入口を前記補給口に連通させる状態にセットされる脱着可能な補給器具として構成されているとともに、前記表示灯が、該補給器具に設けられて該補給器具と一体に脱着可能とされていることを特徴とする。
【００１０】
請求項５のものは、請求項４において、前記表示灯が前記補給器具のセット状態で信号の供給源と電気的に接続するようになしてあることを特徴とする。
【発明の作用・効果】
【００１１】
以上のように請求項１のものは、水石鹸の補給口と、補給口から下方に延び出して水石鹸タンクの内部に且つ底部まで挿入された水石鹸の補給管と、水石鹸タンクの設定満水位置より上部のエア抜孔から上向きに延び出したエア抜管と、底部に水石鹸の注入口を備えた漏斗及び漏斗の底部且つ注入口とは異なった位置に設けられたエア出し筒を有し、注入口を補給口に、またエア出し筒をエア抜管に連通させる石鹸液の補給部と、を備えて水石鹸の補給装置を構成したものである。
【００１２】
本発明の水石鹸の補給装置では、水石鹸タンクに水石鹸を補給する際に、補給管から水石鹸が水石鹸タンク内部に且つその底部に静かに流入して行くため、水石鹸タンク内部で殆ど泡立ちを生ぜしめない。
従って水石鹸タンク内部で生じた泡が水石鹸の補給途中でエア抜管から溢れ出すといったことが殆ど無い。
そして最終的に水石鹸タンク内部に補給された水石鹸の水面が満水位置まで来たところで、初めて水石鹸タンク内部で僅かに生じた泡がエア抜管を通じて水石鹸タンク内部から上向きに追い出され、そして補給部のエア出し筒から溢れ出す。
【００１３】
従ってこの発明において、エア出し筒からの泡の噴出しは、即ち水石鹸タンク内部が満水状態となったことを告知するものであり、従って使用者はこの泡の噴出しをもって、水石鹸タンク内部が満水状態となったことを容易に知ることができる。これにより水石鹸の過注入を防止することができる。
また水石鹸タンクが満水状態となったことが容易に分かるため、安心して速やかに水石鹸の注入を行うことができる。
またエア抜筒から噴き出した泡は漏斗内部に溢れ出すため、噴き出した泡が周辺に飛び散ったり漏出したりする問題も生じない。
【００１４】
本発明では、上記補給部を脱着可能な補給器具として構成しておく。
このようにしておけば、通常時は補給器具を取り外した状態とし、そこに蓋をしておくことによって補給口周辺の外観を良好となしておくことができる。
【００１５】
本発明においては、上記エア出し筒を、漏斗の注入口より下向きに延び出した注入筒の外側で漏斗の底部から下向きに突き出させておくことができる（請求項２）。
このようにすれば、石鹸液の補給路と水石鹸タンク内部のエア抜き、即ち泡出しのための通路とを容易に分離独立して構成しておくことができる。
【００１６】
次に請求項３は、注入口を漏斗の底部の中心部に設けるとともに、エア出し筒を注入口から偏心した位置で底部から漏斗の上端よりも高く突き出させ、そしてエア出し筒の上端のエア出し口を注入口側に向けて斜めのカット形状となしたもので、このようにしておけば、漏斗内に水石鹸を満水状態に注入しても、漏斗内の水石鹸がエア出し筒内部に入り込まず、従って水石鹸がエア抜きのための通路を逆流して水石鹸タンク内部に流入してしまうのを防止することができ、ひいては満水時におけるエア抜き及び泡出しの機能を確保することができ、水石鹸タンクが満水状態となったときに確実に泡出しを行わせ得て、満水状態の告知を行わせることができる。
またこの請求項３では、エア出し筒の上端のエア出し口が注入口側に向けて斜めのカット形状となしてあるため、エア出し口から噴き出した泡を確実に漏斗の真中に導くことができる。
これにより、漏斗内に溢れ出た泡が漏斗から溢れ出るのを有効に防止することができる。
【００１７】
次に請求項４は、満水状態の表示を行う表示灯を、漏斗の上端と同等以上の高さに設け、水石鹸タンクが満水状態となったときにその表示灯にて表示を行わせるようになしたものである。
この請求項４によれば、表示灯にて水石鹸タンクの満水状態を表示できることから、この請求項４においても水石鹸の補給の際に過注入をしてしまうことを防止することができる。
また表示灯は漏斗の上端と同等以上の高さに設けられているため表示灯による表示が見易く、例えばこれを漏斗の付根位置に設けた場合のように表示灯が漏斗の下側に隠れて見難くなってしまい、表示灯が点灯し満水状態を表示しているにも拘らずこれに気付かずに水石鹸を過注入してしまうのを有効に防止できる。
ここで表示灯としてはＬＥＤを好適に用いることができる。
【００１８】
この請求項４においては、上記補給部を水石鹸の補給の際にセットされる脱着可能な補給器具として構成しておくことともに、上記表示灯をその補給器具に設けて、かかる補給器具と一体に脱着可能となしておく。
このようにすれば固定側の補給口の側を、表示灯を設けるために複雑な構造としなくても良く、補給器具をセットしていない通常時において補給口周りの外観を良好となすことができる。
また表示灯を交換等メンテナンスする際の作業性も良好となる。
【００１９】
この場合においてその表示灯は、補給器具のセット状態で信号の供給源と電気的に接続するようになしておくことができる（請求項５）。
【発明を実施するための最良の形態】
【００２０】
次に本発明の実施形態を図面に基づいて詳しく説明する。
図１において、１０は水石鹸の吐出装置，１２は水石鹸の補給装置である。
水石鹸の吐出装置１０は、カウンター１４上に設けられた吐出部１６と、カウンター１４の下方に設けられた水石鹸タンク１８と、水石鹸タンク１８内に貯溜された水石鹸を水石鹸ポンプ（図示省略）にて吐出部１６に供給する給液管２０，エアポンプ（図示省略）にてエアを供給する給気管２２を有している。
吐出部１６は、供給されて来た水石鹸とエアとを混合してムース状とし、ノズル２４から吐出する。
【００２１】
水石鹸の補給装置１２は、カウンター１４に取り付けられた口部材２６と、口部材２６にセットされて水石鹸の補給を行う補給器具（補給部）２８と、水石鹸の補給管３０及び水石鹸タンク１８からエア抜きを行うためのエア抜管３２とを有している。
口部材２６は、図４に詳しく示しているようにカウンター１４の取付孔３４に挿通され、その状態で下端部の外周面にねじ込まれた固定ナット３６と、上端のフランジ３８とによりカウンター１４に固定されている。
この口部材２６には、これを上下に貫通する石鹸液の補給口４０とエア出し口４２とが備えられている。
【００２２】
補給管３０は、図１に示しているように補給口４０から下向きに延び出しており、そして下端側が水石鹸タンク１８内部に挿入されている。
補給管３０は、水石鹸タンク１８より上側の上部４４と、水石鹸タンク１８内部に挿入された挿入部４６とを有している。
挿入部４６は可撓性のホースから成っており、その下端部は水石鹸タンク１８の底部４８まで達している。
詳しくはこの挿入部４６は、その下端部が底部４８の底面に接触し且つ底面に沿って横向きに湾曲し、その先端の流出口５０が底部４８の底面に沿って横向きをなしている。
【００２３】
尚この挿入部４６にはまた、下端の横向きの流出口５０に加えてその上部且つ設定満水位置に上部孔５２が、挿入部４６を内外に貫通する形態で設けられている。
この上部孔５２もまた、水石鹸の補給の際に水石鹸を挿入部４６内部から外部に即ち水石鹸タンク１８内部に流出する。
【００２４】
水石鹸タンク１８には、その上壁に上向きに起立する円筒形状の突出部５４が設けられており、その突出部５４の上端に水石鹸タンク１８内部のエア抜きのためのエア抜孔５６が設けられている。
上記エア抜管３２は、水石鹸タンク１８のこのエア抜孔５６に下端部が接続されている。
また一方、上端部が口部材２６のエア出し口４２に接続されている。
【００２５】
ここで補給口４０及びこれに連通した補給管３０内部の流路から成る補給路と、エア出し口４２及びこれに連通したエア抜管３２内部の流路から成るエア抜路とは、それぞれ図１から明らかなように互いに独立した流路を成している。
尚、図４において５８は蓋体で、通常時は口部材２６の補給口４０及びエア出し口４２は、この蓋体５８にて閉鎖された状態にある。
【００２６】
上記補給器具２８は、水石鹸の補給の際に口部材２６にセットされて使用されるもので、図２及び図３に詳しく示しているように底部６０がすり鉢状をなす漏斗６２と、漏斗６２に一体に構成されたエア出し筒６４とを有している。
漏斗６２は、すり鉢状の底部６０の上端から垂直に起立した円筒形状の周壁部６６と、その上端のフランジ部６８とを有している。
すり鉢状の底部６０には、その中心部に石鹸液の注入口７０が形成されており、そしてこの注入口７０から円筒形状の注入筒７２が下向きに延び出している。
尚７４はフランジ部６８に設けられた貫通孔である。
【００２７】
上記エア出し筒６４は、漏斗６２の中心部の注入口７０から偏心した位置に設けられている。
このエア出し筒６４は、漏斗６２の底部６０を上下に貫通する形態をなしており、そして底部６０から上向きに突き出した上部７６は、漏斗６２の上端よりも上側に突き出している。この上部７６の上端はエア出し口７８を成している。このエア出し口７８は、漏斗６２の中心部の注入口７０に向けて斜めのカット形状をなしている。
一方エア出し筒６４の下部８０は、注入筒７２の外側で底部６０から下向きに突き出している。
【００２８】
尚、図１に示しているように水石鹸タンク１８には計量室８２が設けられており、その内部にフロートスイッチ８４が設けられている。
このフロートスイッチ８４は、水石鹸タンク１８内部の水石鹸の残量を検知するもので、フロート８６の下降により残量が設定量より少なくなったことを検知して検知信号を出力する。
【００２９】
フロートスイッチ８４は、図５に示しているように固定の軸部８８と、フロート８６と一体に昇降する筒部９０とを有しており、それら軸部８８と筒部９０とによって、フロート８６が上下に摺動案内されて水石鹸の水面Ｗとともに昇降する。
このフロートスイッチ８４では、軸部８８と筒部９０の摺動部への水石鹸の付着，乾燥が繰り返されると同部分で水石鹸が固まって軸部８８と筒部９０とが固着し、フロート８６が円滑に昇降動作しなくなってしまう。
【００３０】
そこでここでは計量室８２を区画する区画壁９２を設け、水石鹸の水面Ｗが区画壁９２の下端部９４に達したところで、内部に密閉空間９６（図５（Ｂ）参照）を形成するようにしている。
このように水面Ｗが下端部９４に達すると、それ以後水石鹸タンク１８内部に水石鹸が補給されても、密閉空間９６に空気が閉じ込められた状態となることからそれ以上同空間には水石鹸が浸入しなくなる。
従って軸部８８と筒部９０との摺動部には水石鹸が付着することは無く、水石鹸の付着による摺動部の固着が良好に防止される。即ちフロート８６の円滑な昇降動作が確保される。
【００３１】
次に本実施形態の作用を図６及び図７に基づいて説明する。
本実施形態において、水石鹸タンク１８に水石鹸の補給を行う際には、図４に示す蓋体５８を取り外して補給器具２８を口部材２６にセットする。
詳しくは補給器具２８の注入筒７２を補給口４０の挿込部４０Ａに挿し込み、また同時にエア出し筒６４の下部８０をエア出し口４２の挿込部４２Ａに挿し込む。
【００３２】
この状態で図６に示しているように漏斗６２内部に水石鹸を注ぎ込み、これを漏斗６２の注入口７０，補給管３０を通じて水石鹸タンク１８内部に流入させる。
このとき、漏斗６２を通じて注入された水石鹸は、水石鹸タンク１８内部において底部４８に接した流出口５０からその底面に沿って横向きに静かに流入する。
従ってその際に空気の巻込みによる泡の発生が良好に抑制される。
このようにして水石鹸タンク１８内に水石鹸を補給する際、水石鹸タンク１８内部の空気は、エア抜孔５６及びエア抜管３２を通じて外部に抜き出される。
【００３３】
水石鹸タンク１８内部に水石鹸がある程度溜まって来ると、水面Ｗの上昇によって、補給管３０における挿入部４６の下端の流出口５０からの流出に対する抵抗が大きくなる。
このときに上部孔５２から併せて水石鹸が水石鹸タンク１８内部へと流入する。
このときにも上部孔５２から流出した水石鹸は、挿入部４６の外周面を伝って静かに流下するため、その際にも泡の発生は抑制される。
【００３４】
さて図７に示しているように水石鹸タンク１８内部で水石鹸がほぼ満水になると、水石鹸タンク１８内部で僅かに発生した泡が逃げ場を無くしてエア抜孔５６からエア抜管３２内部に入り込み、更にこのエア抜管３２を通って補給器具２８におけるエア出し筒６４の上端のエア出し口７８から漏斗６２内部に溢れ出す。
即ちこのエア出し口７８からの泡の噴出しは、水石鹸タンク１８内部で水石鹸が満水状態となったことを表す告知となる。
従って使用者は、このエア出し口７８からの泡の噴出しによって、水石鹸タンク１８内部に水石鹸が満水状態となったことを知ることができる。
【００３５】
以上のような本実施形態によれば、水石鹸タンク１８に水石鹸を補給する際に、補給管３０から水石鹸が水石鹸タンク１８の底部４８に静かに流入して行くため、水石鹸タンク１８内部で殆ど泡立ちを生ぜしめない。
従って水石鹸の補給途中で、エア抜管３２から水石鹸タンク１８内部で生じた泡が溢れ出すといったことは殆ど無い。
そして最終的に水石鹸タンク１８内部に補給された水石鹸の水面Ｗが満水位置まで来たところで、初めて水石鹸タンク１８内部で僅かに生じた泡が、エア抜管３２を通じて水石鹸タンク１８内部から上向きに追い出され、そして補給器具２８のエア出し筒６４から溢れ出す。
【００３６】
そして使用者はこの泡の噴出しにより、水石鹸タンク１８内部が満水状態となったことを容易に知ることができる。これにより水石鹸の過注入を防止することができる。
また水石鹸タンク１８が満水状態となったことが容易に分かるため、安心して速やかに水石鹸の注入を行うことができる。
またエア出し筒６４から噴き出した泡は漏斗６２内部に溢れ出すため、噴き出した泡が周辺に飛び散ったり漏出したりする問題も生じない。
【００３７】
本実施形態では、補給器具２８を脱着可能となしてあるため、通常時は補給器具２８を取り外した状態とし且つそこに蓋５８をしておくことで、補給口４０周りの外観を良好に保つことができる。
【００３８】
更に本実施形態では、注入口７０を漏斗６２の底部６０の中心部に設けるとともに、エア出し筒６４を注入口７０から偏心した位置で底部６０から漏斗６２の上端よりも高く突き出させ、そしてエア出し筒６４の上端のエア出し口７８を注入口７０側に向けて斜めのカット形状となしてあるため、漏斗６２内に水石鹸を満水状態に注入しても、漏斗６２内の水石鹸がエア出し筒６４内部に入り込まず、従って水石鹸がエア抜きのための通路を逆流して水石鹸タンク１８内部に流入してしまうのを防止することができ、ひいては満水時におけるエア抜き及び泡出しの機能を確保することができ、水石鹸タンク１８が満水状態となったときに、確実に泡出しを行わせ得て、満水状態の告知機能を確保することができる。
またエア出し筒６４の上端のエア出し口７８が注入口７０側に向けて斜めのカット形状となしてあるため、エア出し口７８から噴き出した泡を、確実に漏斗６２の真中に導くことができる。
これにより漏斗６２内に溢れ出た泡が、漏斗６２から溢れ出るのを有効に防止することができる。
【００３９】
次に図８及び図９は本発明の他の実施形態を示している。
この例では、漏斗６２自体にて補給器具が構成されている。
漏斗６２の上端の直上位置には、水石鹸タンク１８内部の満水状態を表示するためのＬＥＤ（表示灯）９８が設けられ、このＬＥＤ９８が漏斗６２と一体に口部材２６に対し着脱されるようになっている。
【００４０】
この例では、水石鹸タンク１８に水石鹸の満水を検知する満水検知手段としてのフロートスイッチ１００が設けられており、このフロートスイッチ１００と口部材２６の接点１０２とが電気配線１０４にて接続されている。
一方漏斗６２の側に設けられたＬＥＤ９８には端子１０６が設けられており、その端子１０６の接点１０８が、漏斗６２のセット時に口部材２６側の接点１０２に接触せしめられるようになっている。
即ち漏斗６２のセット状態で、ＬＥＤ９８が電気配線１０４を介してフロートスイッチ１００に電気的に接続した状態となる。
【００４１】
尚口部材２６には、図９に示しているように上向きに起立した堤部１１０が設けられていて、その堤部１１０の内側に上記接点１０２が設けられている。
この実施形態では、漏斗６２を通じて水石鹸の補給を行う際、水石鹸タンク１８が満水状態となるとフロートスイッチ１００から満水の検知信号が出力され、これによりＬＥＤ９８が点灯して水石鹸タンク１８が満水状態となったことを表示する。
【００４２】
本実施形態によれば、ＬＥＤ９８にて水石鹸タンク１８の満水状態を表示できることから、水石鹸の補給の際に過注入をしてしまうことを防止することができる。
またＬＥＤ９８は、漏斗６２の上端以上の高さに設けられているためＬＥＤ９８による表示が見易く、例えばこれを漏斗６２の付根位置に設けた場合のように、ＬＥＤ９８が漏斗６２の下側に隠れて見難くなってしまい、ＬＥＤ９８が点灯し満水状態を表示しているにも拘らず、これに気付かずに水石鹸を過注入してしまうのを防止できる。
【００４３】
またＬＥＤ９８を補給器具２８に設けて、かかる補給器具２８と一体に脱着可能となしてあるため、固定側の補給口４０の側を、ＬＥＤ９８を設けるために複雑な構造としなくても良く、補給器具２８をセットしていない通常時において、補給口４０周りの外観を良好となすことができる。
またＬＥＤ９８を交換等メンテナンスする際の作業性も良好となる。
【００４４】
以上本発明の実施形態を詳述したがこれらはあくまで一例示であり、本発明はその趣旨を逸脱しない範囲において種々変更を加えた形態で構成可能である。
【図面の簡単な説明】
【００４５】
【図１】本発明の一実施形態である水石鹸の補給装置を水石鹸の吐出装置とともに示す図である。
【図２】図１の補給装置の要部拡大断面図である。
【図３】図１の補給器具を単体で示す図である。
【図４】同実施形態の要部を補給器具をセットしていない状態で示す図である。
【図５】図１の水石鹸タンクの計量室を拡大して示す図である。
【図６】同実施形態の作用を示す説明図である。
【図７】図６に続く作用を示す説明図である。
【図８】本発明の他の実施形態を示す図である。
【図９】図８の実施形態の要部拡大断面図である。
【符号の説明】
【００４６】
１２  水石鹸の補給装置
１８  水石鹸タンク
２８  補給器具（補給部）
３０  補給管
３２  エア抜管
４０  補給口
４８  底部
５６  エア抜孔
６０  底部
６２  漏斗
６４  エア出し筒
７０  注入口
７２  注入筒
７８  エア出し口
８０  下部
９８  ＬＥＤ（表示灯）
【図１】
0004739055.tif 000002
【図２】
0004739055.tif 000003
【図３】
0004739055.tif 000004
【図４】
0004739055.tif 000005
【図５】
0004739055.tif 000006
【図６】
0004739055.tif 000007
【図７】
0004739055.tif 000008
【図８】
0004739055.tif 000009
【図９】
0004739055.tif 000010